(57)【特許請求の範囲】
【請求項１】
回路基板を受容する細長のハウジング、及び該ハウジングの両端近傍位置に固定され、受容された前記回路基板を抜け止めする金属製のラッチ部材を有し、他の回路基板上に実装され、受容された前記回路基板を前記他の回路基板に略平行に配置するよう構成され、前記ラッチ部材は前記他の回路基板に固定される基板固定部を具えるラッチ付コネクタにおいて、
前記回路基板を受容する際に前記回路基板の受容位置を決定する基板位置決め部が、前記ラッチ部材の前記基板固定部から頂側に向けて直立して構成されることを特徴とするラッチ付コネクタ。
【請求項２】
回路基板を受容する細長のハウジング、及び該ハウジングの両端近傍位置に固定され、受容された前記回路基板を抜け止めする金属製のラッチ部材を有し、他の回路基板上に実装され、受容された前記回路基板を前記他の回路基板に略平行に配置するよう構成され、前記ラッチ部材は前記他の回路基板に固定される基板固定部を具えるラッチ付コネクタにおいて、
前記回路基板を受容する際に前記回路基板の受容位置を決定する基板位置決め部が、前記基板固定部を延出させる金属板から前記基板固定部に重なる位置に該基板固定部と同方向に延出して構成されることを特徴とするラッチ付コネクタ。
【発明の詳細な説明】
【０００１】
【発明の属する技術分野】
本発明は主にコンピュータ等にメモリモジュールとして使用されるメモリ用回路基板を受容することのできるソケット型のコネクタであり、その回路基板を固定することのできるラッチ手段を含むラッチ付コネクタに関する。
【０００２】
【従来の技術及び発明の解決すべき課題】
この種のラッチ付コネクタの一例が登録実用新案公報第３０１５０８１号に開示される。このコネクタは、側縁に沿って切欠（又は凹部）が形成されたメモリ用の回路基板を受容するものである。そのラッチ部材は金属製であり、ハウジングの両側端近傍に形成されるアームの内側に設けられるキャビティ内に配置される。ラッチ部材は回路基板の凹部に沿って係合するよう突出する係合部と、その上側に位置する回路基板抜け止め用の制止部とを有する。このコネクタは、２つの問題を内包する。第１の問題は、回路基板の受容保持の信頼性に関する。即ち、上述の公報に開示されるコネクタによれば、受容の際に回路基板の切欠が係合部に正確に位置合わせされない場合でもラッチ部材の撓み得る構成となっており、よってこれによりラッチ部材が変形して回路基板を適正に保持できなくなる虞があり、また係合部と制止部が同箇所にあり係合部が切欠の側縁に沿って係合するため受容後の保持強度は比較的弱いものになってしまう。第２の問題は、コネクタの幅寸法の問題であり、ハウジングにアームを成形する必要があるためにハウジングが比較的大きくなり、よって比較的大きな実装寸法を必要とする点である。
【０００３】
特に第２の問題を解決するためのラッチ付コネクタが、特開平９−８２４２９号公報に開示される。開示されるコネクタは、細長のハウジング及びその両端近傍位置に固定される金属製ラッチ部材を有する。このコネクタでは、ハウジングにアームが成形されないため幅寸法が小さくなり、よって実装面積が比較的小さくなるという利点を有する。特にハウジングのアームが存在しないため、回路基板を受容する際に回路基板の受容を案内しその受容位置を決定するための基板位置決め部がラッチ部材に一体的に形成される点に注目すべきである。
【０００４】
近年、特開平９−８２４２９号公報に開示されるものよりも更に実装寸法を小さくしたラッチ付コネクタが要求され、そのコネクタにおいては、特にラッチ部材の長さ方向に更に寸法を小さくすることが要求される。
【０００６】
従って、本発明の目的は、実装面積を最小にすることのできるメモリ回路基板用のラッチ付コネクタを提供することにある。
【０００９】
【課題を解決するための手段】
本発明は、回路基板を受容する細長のハウジング、及び該ハウジングの両端近傍位置に固定され、受容された前記回路基板を抜け止めする金属製のラッチ部材を有し、他の回路基板上に実装され、受容された前記回路基板を前記他の回路基板に略平行に配置するよう構成され、前記ラッチ部材は前記他の回路基板に固定される基板固定部を具えるラッチ付コネクタにおいて、前記回路基板を受容する際に前記回路基板の受容位置を決定する基板位置決め部が、前記ラッチ部材の前記基板固定部から頂側に向けて直立して構成されることを特徴とする。
【００１０】
更に本発明は、回路基板を受容する細長のハウジング、及び該ハウジングの両端近傍位置に固定され、受容された前記回路基板を抜け止めする金属製のラッチ部材を有し、他の回路基板上に実装され、受容された前記回路基板を前記他の回路基板に略平行に配置するよう構成され、前記ラッチ部材は前記他の回路基板に固定される基板固定部を具えるラッチ付コネクタにおいて、前記回路基板を受容する際に前記回路基板の受容位置を決定する基板位置決め部が、前記基板固定部を延出させる金属板から前記基板固定部に重なる位置に該基板固定部と同方向に延出して構成されることを特徴とする。
【００１１】
【発明の実施の形態】
以下に添付図面を参照して本発明の好適実施形態となるラッチ付コネクタについて詳細に説明する。
【００１２】
図１は、本発明の第１の好適実施形態となるラッチ付コネクタを示す図であり、（ａ）は平面図、（ｂ）は正面図、及び（ｃ）は右側面図である。図２は図１のラッチ付コネクタに使用される一方のラッチ部材を示す図で、（ａ）は正面図、（ｂ）は平面図、（ｃ）は背面図、（ｄ）は（ａ）中の矢視Ａ方向から見た図、及び（ｅ）は（ａ）中の線Ｂ−Ｂに沿う断面図である。他方のラッチ部材は図２に示されるものと鏡像対称の関係にして形成される。
【００１３】
ラッチ付コネクタ１０は、細長矩形のハウジング１１及びその両端に位置する金属製のラッチ部材２０を有する。ハウジング１１は、複数のコンタクト１２が配置される基板受容スロット１３を有する。メモリ等が実装されるメモリ回路基板がこの基板受容スロット１３内に受容されて使用される。コンタクト１２は図示しない回路基板の上下に接触するように配列される。
【００１４】
図１に示すように、ラッチ部材２０はハウジング１１の両端近傍位置に圧入固定され、ハウジング１１の長さ方向に対して直交方向に延びる。図２によれば、ラッチ部材２０は、金属板の折り曲げにより内外方向に重ね配置される内壁２１及び外壁２２を有する。内壁２１及び外壁２２が連結される後部２３の後端２３ａは図１に示すようにハウジング１１に当接される。内壁２１及び外壁２２は図２の如く後部２３から独立して前方に延びる。内壁２１はラッチ付コネクタ１０が実装される親基板に対して半田付けされて固定されるための半田接続部（又は基板固定部）２４を有する。半田接続部２４は内壁２１の底端を内方に延長するよう曲げられて形成される。内壁２１の半田接続部２４近傍位置には開口２５が形成される。開口２５は基板位置決め部２６を設けるために形成される構成である。基板位置決め部２６は回路基板の受容の際に、その底側面に当接し底側から回路基板を制止すべく作用するものである。図示されるように、基板位置決め部２６は半田接続部２４に重なるよう同方向に延出する。内壁２１の前端には更に前方に向けて突出する舌片部２７が形成される。舌片部２７は若干斜め外方に向けて延び、外壁２２の延長部分に形成される係合部（又は位置決め係合部）３１に重なって位置する。これは後述の如く外側に撓む弾性アーム３３の過度の変位を防止するアンチオーバストレス部材（又は過応力防止部材）となる。
【００１５】
その外壁２２は、上述の係合部３１及び更にその端側に位置する基板を保持するための制止部３２を含む弾性アーム３３を有する。弾性アーム３３は外方向に向けて弾性変位可能となるよう配置される。図１（ａ）中には受容されたときの回路基板Ｃの端縁の一部が仮想的にＣとして示されるが、それから理解されるように係合部３１は回路基板の側縁に形成される切欠（又は凹部）Ｃ１に係合するものである。図示しないが、ラッチ付コネクタ１０は従来のコネクタに類似し、ハウジング１１に収容されるコンタクト１２は受容される回路基板に回転モーメントを加えるように置かれ、ラッチ部材２０によって頂側から制止されることでコンタクト１２と回路基板とが弾性的に接触し電気的に相互接続されるよう構成される。制止部３２は回路基板の回動を制止するために、水平方向に延びる制止板（又は基板制止部）３４を含む。制止部３２の制止板３４は、切欠Ｃ１の前側位置で基板面に係合する。図２から理解されるように、制止板３４は直立壁３５から水平方向に延出して形成される。制止部３２は更に制止板３４の端から頂側に斜めに延びるよう構成される傾斜板（又は傾斜部）３６を有する。傾斜板３６の存在により回路基板を十分スムーズに落とし込んで案内し、回路基板をハウジング１１に対する所望の位置に移動させることが可能になる。制止板３４と傾斜板３６は連続するので、回路基板が受容されるとき、回路基板が傾斜板３６に作用して弾性アーム３３を外側に変位させ、更に受容が進み、回路基板が所望の位置に達すると、傾斜板３６と回路基板との係合が解除されて回路基板の頂側に制止板３４が自動的に回り込んでこれと係合し、これにより回路基板が抜け止め保持される。図２（ｂ）に示すように、傾斜板３６の内側端縁３６ａはラッチ部材２０の長さ方向に傾斜して延び、これにより回路基板の受容をよりスムーズにしている点に注目すべきである。傾斜板３６は回路基板を取り去る際の操作部を兼ねる。即ち回路基板を取り外す作業者は傾斜板３６に指をかけて外側に押すよう操作する。これにより制止板３４と回路基板との係合が解除され、回路基板が回転モーメントによって起き上がるので、作業者は回路基板を容易に除去することができる。
【００１６】
また図２によれば、係合部３１の頂側には外方向に向けて折り曲げられた平坦な頂側壁（又は頂側干渉部）３７が形成される。頂側壁３７は回路基板の受容位置が適正でないときにその受容を阻止するためのものである。即ち回路基板の位置が適正でないときには回路基板の一部がこの頂側壁３７に当接し、その受容を阻止することができる。頂側壁３７は傾斜板３６の頂端位置又はそれより高い位置に置かれるので、適正位置にない回路基板が頂側壁３７に当接するときには、回路基板は傾斜板３６とは当接せず、弾性アーム３３は変位されない状態にある点に注目すべきである。
【００１７】
本好適実施形態によるラッチ付コネクタ１０の効果は上述の部材の協働作用によって理解される。第１にこのラッチ付コネクタ１０によれば、ラッチ部材２０が係合部３１の端側に位置する制止部３２が回路基板のスムーズな受容を可能にしつつ、係合部３１の頂側壁３７が回路基板の適正位置にないときの受容を阻止するので、回路基板を受容させる作業をスムーズに且つ確実に行うことができ、また受容後には制止部３２の制止壁３４により回路基板は確実に保持される。更に傾斜板３６を回路基板取り外し作業の際の操作部として兼ねること、及び半田接続部２４と基板位置決め部２６とを長さ方向に重ねて配置することにより、ラッチ付コネクタ１０の実装面積は最小とされる。
【００１８】
図３は、本発明の第２の実施形態となるラッチ付コネクタ用のラッチ部材を示す図であり、（ａ）は正面図、（ｂ）は平面図、及び（ｃ）は（ａ）中の矢視Ｄ方向から見た図である。
【００１９】
以下の実施形態の説明では、ハウジングは第１の実施形態のものと相違せず、一対のラッチ部材は鏡像対称の構成とされるので、いずれか一方のラッチ部材についてのみ説明される。
【００２０】
図３に示す第２の好適実施形態によるラッチ部材１２０と、第１の好適実施形態によるラッチ部材２０との相違点は、回路基板が不適正位置にあるときの受容を阻止するための頂側壁１３７が傾斜板１３６の頂端部１３６ａから延長されて形成される点である。これによれば、頂側壁１３７の面積が広くなるため、回路基板のより厳密な位置合わせが可能になる。頂側壁１３７は係合部１３１の頂側端１３１ａ、及び内壁１２１の頂端近傍から延出するアンチオーバストレス構造を実現するための舌片部１２７の頂側面１２７ａに近接するので、頂側壁１３７に上方から力が加わったときにはその底側面は頂側端１３１ａ又は頂側端１２７ａに略当接して支持され得る。なお図中には他の各部材で第１の好適実施形態と同様の作用をするものは参照番号の最初に１を加えて示す。
【００２１】
図４は、本発明の第３の好適実施形態となるラッチ付コネクタ用のラッチ部材を示す図であり、（ａ）は正面図、（ｂ）は平面図、（ｃ）は（ａ）中の矢視Ｅ方向から見た図である。
【００２２】
このラッチ部材２２０は、第１の好適実施形態によるラッチ部材２０とは制止部２３２の形状の上で相違する。制止部２３２は、ラッチ部材２０の如く略等幅の傾斜板３６及び制止板３４を有するものでなく、その傾斜板２３６は制止板２３４の一部からのみ延長されて構成される。これにより受容された回路基板を受容する作業者は、傾斜板２３６又は制止板２３４の外端縁に画定された操作部２６１の何れかを操作して回路基板を取り外すことができる。なお図中には他の各部材で第１の好適実施形態と同様の作用をするものは参照番号の最初に２を加えて示す。
【００２３】
図５は、本発明の第４の好適実施形態となるラッチ付コネクタ用のラッチ部材を示す図であり、（ａ）は正面図、（ｂ）は平面図、（ｃ）は（ａ）中の線Ｃ−Ｃに沿う断面図、及び（ｄ）は（ａ）中の矢視Ｆ方向から見た図である。
【００２４】
このラッチ部材３２０も、第１の好適実施形態によるラッチ部材２０と制止部３３２の形状の上で相違する。制止部３３２は、打ち出しにより形成された凸部３７１を含む。図５（ｃ）から理解されるように凸部３７１は、傾斜板３３６ｂと連続して位置し、それと協働して、前述の複数の実施形態における傾斜板と同様に基板の案内作用をする傾斜部３３６ａを構成する。また凸部３７１の底側には金属板の端縁から成り、受容される回路基板を抜け止めする制止端３３４が画定される。受容された回路基板を取り外す際には、作業者は主に傾斜板３３６ｂを操作する。このラッチ部材３２０は比較的簡単な加工で製造可能であるという利点を有する。なお図中には他の各部材で第１の好適実施形態と同様の作用をするものは参照番号の最初に３を加えて示す。
【００２５】
図６は、本発明の第５の好適実施形態となるラッチ付コネクタ用のラッチ部材を示す図であり、（ａ）は正面図、（ｂ）は平面図、及び（ｃ）は（ａ）中の矢視Ｇ方向から見た図である。
【００２６】
このラッチ部材４２０は、第１乃至第４の実施形態によるラッチ部材２０、１２０、２２０、３２０と比較して形状の上で３つの重要な相違点を有し、これらはこの実施形態によるラッチ部材４２０の重要な特徴となる。
【００２７】
第１の相違点は、半田接続部４２４及びその近傍の形状にある。ラッチ部材４２０の半田接続部４２４はその内側の端縁から頂側に直立する直立壁４８１を含む。直立壁４８１の端縁４８１ａは受容される回路基板を底側から制止して回路基板の位置決めを行う位置決め構造として使用される。従って、前述の実施形態に示す如く、内壁２１、１２１、２２１、３２１から打ち出して折り曲げて形成される基板位置決め部２６、１２６、２２６、３２６を含むものではない。
【００２８】
第２の相違点は、係合部４３１近傍の構成である。係合部４３１はその頂側に平坦な頂側壁を含むものではなく、頂側に突出する突片４９１を有し、その頂端４９１ａは後述する制止部４３２の頂端の高さ位置又はそれを若干超える高さ位置とされる。頂端４９１ａは略水平方向に延びる端縁を構成する。これにより、受容される回路基板が受容準備段階で適正な位置に位置合わせされない場合には、頂端４９１ａが回路基板に当接してその受容を阻止する。図示されるように突片４９１の背面には内壁４２１の頂端近傍から延長して形成される舌片部４２７が形成される。舌片部４２７は突片４９１と協働して弾性アーム４３３のアンチオーバストレス構造を構成する。
【００２９】
第３の相違点は、制止部４３２近傍の構成である。制止部４３２は金属板を前端４６５で折り返して構成された、金属板の２層構造を有する。その内壁（又は内側板）４６６の頂端から内方に向けて制止板４３４が設けられる。またその外壁（又は外側板）４６７の頂端から延長されて内側に向けて傾斜して延びる回路基板案内用の傾斜板４３５が形成される。傾斜板４３５は制止板４３４に略重なり先端が制止板に略当接するように位置する。これにより制止部４３２の各部分の機械的強度が高くなる。
【００３０】
なお図６中には他の各部材で第１の好適実施形態と同様の作用をするものは参照番号の最初に４を加えて示す。これらの部材の説明は前述したので省略する。
【００３１】
図７は、本発明の第６の好適実施形態となるラッチ付コネクタ用のラッチ部材を示す図であり、（ａ）は正面図、（ｂ）は平面図、及び（ｃ）は（ａ）中の矢視Ｈ方向から見た図である。
【００３２】
この好適実施形態は第５の実施形態によるラッチ付コネクタのラッチ部材の形状に類似する。この第６の実施形態によるラッチ部材５２０の制止部５３２はやはり前端５６５で折り返されて成る金属板の２層構造を含み、その内壁５６６の頂端から内方に向けて制止板５３４が設けられ、またその外壁５６７の頂端から延長されて内側に向けて傾斜して延びる傾斜板５３５が形成される。第５の実施形態によるラッチ部材４２０との相違点は傾斜板５３５が制止板５３４の前面に重なるものでなく、後側部分にのみ重なるよう置かれ、前側には若干外方に曲げられて指が引っ掛けられるよう構成される操作部５８６が形成される点である。これによれば、制止部５３２の機械的強度を十分維持しつつ、回路基板を取り外す際の指によるラッチ部材５２０の操作を容易にすることができる。なお図中には他の各部材で第１及び第５の好適実施形態と同様の作用をするものは参照番号の最初に５を加えるか又は５に変更して示す。
【００３３】
図８は、本発明の第７の好適実施形態となるラッチ付コネクタ用のラッチ部材を示す図であり、（ａ）は正面図、（ｂ）は平面図、及び（ｃ）は（ａ）中の矢視Ｉ方向から見た図である。
【００３４】
この実施形態によるラッチ部材６２０も第５の実施形態に類似する。相違点はやはり制止部６３２の形状にある。制止部６３２は前端６５６で折り返されて成る金属板の２層構造を有し、その内壁６６６の頂端から内方に向けて制止板６３４が設けられ、またその外壁６６７の頂端から延長されて内側に向けて傾斜して延びる傾斜板６３５が形成されるが、傾斜板６３５は制止板６３４の前側部分にのみ重なるよう配置される。更に傾斜板６３５の前側端隅部には突出部分６３５ａが形成される。これにより制止部６３２の機械的強度は更に高められる。また操作部６８６の部分も金属板による２層構造を有するので、変形してしまう虞がなく、作業者が操作し易いという利点を有する。なお図中には他の各部材で第１及び第５の好適実施形態と同様の作用をするものは参照番号の最初に６を加えるか又は６に変更して示す。
【００３５】
図９は、本発明の第８の好適実施形態となるラッチ付コネクタ用のラッチ部材を示す図であり、（ａ）は正面図、（ｂ）は平面図、及び（ｃ）は（ａ）中の矢視Ｊ方向から見た図である。
【００３６】
この実施形態に示すラッチ部材７２０は、第６の実施形態に類似する。ラッチ部材５２０との相違点はやはり制止部７３２の形状にあり、金属板の２層構造が前端での折り返しでなく、底端７５７での折り返しによって構成される点である。各部材の作用は第１及び第６の実施形態と同様であるので、図中にはそれらの部材を参照番号の最初を７に変更して示す。
【００３７】
以上の如く本発明の好適実施形態となるラッチ付コネクタについて説明したがこれらはあくまでも例示的ものであり、本発明を制限するものではなく、当業者によって様々な変形変更が可能である。変形の一例が図１０に制止部の断面図として示される。図示されるように、制止部の回路基板側縁に内側に向けて突出する突出部８８０を設けて、金属板の加工を容易にしつつ回路基板の保持に対する信頼性を高めることも可能である。
【００４０】
【発明の効果】
本発明のラッチ付コネクタによれば、回路基板を受容する際に回路基板の受容位置を決定する基板位置決め部が、ラッチ部材の基板固定部から頂側に向けて直立して構成されることを特徴とするので、回路基板を保持するためのラッチ部材の長さ寸法を最小にすることができ、ラッチ付コネクタの実装寸法を最小にできる。
【００４１】
更に、本発明のラッチ付コネクタによれば、回路基板を受容する際に回路基板の受容位置を決定する基板位置決め部が、基板固定部を延出させる金属板から基板固定部に重なる位置に基板固定部と同方向に延出して構成されることを特徴とするので、回路基板を保持するためのラッチ部材の長さ寸法を最小にすることができ、ラッチ付コネクタの実装寸法を最小にできる。
【図面の簡単な説明】
【図１】本発明の第１の好適実施形態となるラッチ付コネクタを示す図であり、（ａ）は平面図、（ｂ）は正面図、及び（ｃ）は右側面図。
【図２】図１のラッチ付コネクタに使用される一方のラッチ部材を示す図で、（ａ）は正面図、（ｂ）は平面図、（ｃ）は背面図、（ｄ）は（ａ）中の矢視Ａ方向から見た図、及び（ｅ）は（ａ）中の線Ｂ−Ｂに沿う断面図。
【図３】本発明の第２の実施形態となるラッチ付コネクタ用のラッチ部材を示す図であり、（ａ）は正面図、（ｂ）は平面図、（ｃ）は背面図、及び（ｄ）は（ａ）中の矢視Ｄ方向から見た図。
【図４】本発明の第３の好適実施形態となるラッチ付コネクタ用のラッチ部材を示す図であり、（ａ）は正面図、（ｂ）は平面図、（ｃ）は（ａ）中の矢視Ｅ方向から見た図。
【図５】本発明の第４の好適実施形態となるラッチ付コネクタ用のラッチ部材を示す図であり、（ａ）は正面図、（ｂ）は平面図、（ｃ）は（ａ）中の線Ｃ−Ｃに沿う断面図、及び（ｄ）は（ａ）中の矢視Ｆ方向から見た図。
【図６】本発明の第５の好適実施形態となるラッチ付コネクタ用のラッチ部材を示す図であり、（ａ）は正面図、（ｂ）は平面図、及び（ｃ）は（ａ）中の矢視Ｇ方向から見た図。
【図７】本発明の第６の好適実施形態となるラッチ付コネクタ用のラッチ部材を示す図であり、（ａ）は正面図、（ｂ）は平面図、及び（ｃ）は（ａ）中の矢視Ｈ方向から見た図。
【図８】本発明の第７の好適実施形態となるラッチ付コネクタ用のラッチ部材を示す図であり、（ａ）は正面図、（ｂ）は平面図、及び（ｃ）は（ａ）中の矢視Ｉ方向から見た図。
【図９】本発明の第８の好適実施形態となるラッチ付コネクタ用のラッチ部材を示す図であり、（ａ）は正面図、（ｂ）は平面図、及び（ｃ）は（ａ）中の矢視Ｊ方向から見た図。
【図１０】ラッチ部材の変形の一例を示す、制止部の断面図。
【符号の説明】
１０  ラッチ付コネクタ
１１  ハウジング
２０、１２０、２２０、３２０、４２０、５２０、６２０、７２０  ラッチ部材
２４、１２４、２２４、３２４、４２４、５２４、６２４、７２４  基板固定部
２６、１２６、２２６、３２６、４８１、５８１、６８１、７８１  基板位置決め部
３１、１３１、２３１、３３１、４３１、５３１、６３１、７３１  位置決め係合部
３２、１３２、２３２、３３２、４３２、５３２、６３２、７３２  制止部
３４、１３４、２３４、３３４、４３４、５３４、６３４、７３４  基板制止部
３７、１３７、２３７、３３７、４９１、５９１、６９１、７９１  頂部
Ｃ    回路基板
Ｃ１  切欠
【図１】
0003883151.tif 000002
【図２】
0003883151.tif 000003
【図３】
0003883151.tif 000004
【図４】
0003883151.tif 000005
【図５】
0003883151.tif 000006
【図６】
0003883151.tif 000007
【図７】
0003883151.tif 000008
【図８】
0003883151.tif 000009
【図９】
0003883151.tif 000010
【図１０】
0003883151.tif 000011